(57)【要約】【課題】ブログ等をまとめたＷＥＢサイトの価値を向上する活動を遅滞なく適切に反映して、ユーザへの利益の配分を実行し、さらに分配された当該利益の効用を当該ユーザが享受する場を適切に提供するＷＥＢサイトの管理用サーバ、管理方法及び管理プログラムを提供すること。【解決手段】管理用サーバ６は、ＷＥＢサイトに設けられた広告の実施を示す情報を受け付けたことに応じて、当該実施した広告の広告料の少なくとも一部を実現価値として記憶し、ユーザの活動を示す情報を受信したことに応じて活動単位を付与し、実現価値の残高による分配価値総額の残高を、活動単位の総数に応じて分配し、当該ユーザの所有する現金相当物について、当該活動単位との、連動開始基準レートを算出してユーザ識別情報に関連付けて記憶する。【選択図】図８
2011170394.tif 000002
【特許請求の範囲】
【請求項１】
通信ネットワークを介して公衆からアクセス可能なユーザのＷＥＢページをまとめたＷＥＢサイトを管理するＷＥＢサイトの管理用サーバにおいて、
前記ユーザを識別するユーザ識別情報を記憶するユーザ識別情報記憶部と、
前記ＷＥＢサイトに設けられた広告の実施を示す情報を受け付けたことに応じて、前記実施をした広告の広告料の少なくとも一部を実現価値として記憶する実現価値記憶部と、
前記ＷＥＢサイトに係る前記ユーザの活動を示す情報を、前記通信ネットワークを介して受信したことに応じて、前記の活動の内容に対応する活動単位を付与し、当該活動単位を前記の活動をしたユーザの前記ユーザ識別情報に関連付けて記憶する活動単位付与部と、
前記活動単位付与部が前記活動単位を付与する直前の前記実現価値の残高を分配価値総額として算出する分配価値総額算出部と、
前記活動単位付与部が前記活動単位を付与する直前の前記活動単位の残高に前記活動単位付与部が付与する前記活動単位を加えて分配活動単位総数として算出する分配活動単位総数算出部と、
前記分配価値総額算出部が算出した前記分配価値総額を、前記分配活動単位総数算出部が算出した前記分配活動単位総数に基づいて分配することにより、前記活動単位の評価額を算出して記憶する活動単位評価額算出部と、
前記ユーザの所有する現金として使用可能又は現金に換金可能な現金相当物について、前記活動単位との、価値連動開始要求を受け付けたことに応じて、前記価値連動開始要求を受け付ける直前の前記活動単位の評価額に基づいて、前記活動単位と前記現金相当物との関係を示す連動開始基準レートを算出して、前記ユーザの前記ユーザ識別情報に関連付けて記憶する連動開始基準レート記憶部と、
前記連動開始基準レート記憶部が記憶した連動開始基準レート及び活動単位評価額算出部が算出した前記活動単位の評価額に基づいて前記現金相当物の評価額を算出する現金相当物評価額算出部とを備えるＷＥＢサイトの管理用サーバ。
【請求項２】
前記価値連動開始要求を受け付けた前記現金相当物について、価値連動終了要求を受け付けたことに応じて、前記価値連動終了要求を受け付ける直前の前記活動単位の評価額に基づいて、前記活動単位と前記現金相当物との関係を示す連動終了基準レートを算出して、前記ユーザの前記ユーザ識別情報に関連付けて記憶する連動終了基準レート記憶部をさらに備える請求項１に記載のＷＥＢサイトの管理用サーバ。
【請求項３】
前記活動単位評価額算出部が算出した前記活動単位の評価額を示す情報を公衆が閲覧可能な状態で記憶する情報公開部をさらに備える請求項１又は請求項２に記載のＷＥＢサイトの管理用サーバ。
【請求項４】
前記現金相当物評価額算出部が算出した前記現金相当物の評価額を前記ユーザが閲覧可能な状態で記憶する現金相当物評価額情報記憶部をさらに備える請求項１から請求項３のいずれかに記載のＷＥＢサイトの管理用サーバ。
【請求項５】
前記ユーザから、前記ユーザ識別情報に関連付けて記憶した前記活動単位の一部又は全部について、現金として使用可能又は現金に換金可能な現金相当物への、交換希望を受け付けたことに応じて、前記交換希望を受け付ける直前の前記活動単位の評価額に基づいて算出した金額を前記実現価値の残高から減じると共に前記活動単位の数を前記分配活動単位総数から控除する活動単位減少交換部をさらに備える請求項１から請求項４のいずれかに記載のＷＥＢサイトの管理用サーバ。
【請求項６】
前記ユーザから、現金として使用可能又は現金に換金可能な現金相当物について、前記活動単位への、交換希望を受け付けたことに応じて、交換を希望する金額を前記実現価値の残高に加えると共に、前記交換希望を受け付ける直前の前記活動単位の評価額に基づいて算出した前記活動単位の数を前記分配活動単位総数に追加する活動単位増加交換部をさらに備える請求項１から請求項５のいずれかに記載のＷＥＢサイトの管理用サーバ。
【請求項７】
前記実現価値記憶部は、前記ＷＥＢサイトにおける前記ユーザの活動履歴に基づいて作成される分析レポートの販売を示す情報を、前記販売の販売価格を示す情報と共に受け付けたことに応じて、前記分析レポートの前記販売価格の少なくとも一部を前記実現価値に加えて記憶する請求項１から請求項６のいずれかに記載のＷＥＢサイトの管理用サーバ。
【請求項８】
前記ユーザが所有する前記現金相当物の残高を記憶する現金相当物記憶部と、
前記ユーザの所有する前記現金相当物の残高の変化に関する情報を受け付けたことに応じて、前記ユーザの所有する現金相当物の残高を更新する現金相当物残高更新部と、をさらに備え、
前記現金相当物評価額算出部は、前記現金相当物残高更新部が更新した、現金相当物を所有するユーザ及び当該現金相当物について、前記連動開始基準レート記憶部が前記連動開始基準レートを記憶している場合に、前記現金相当物残高更新部が更新した残高に基づいて、前記現金相当物の評価額を算出する請求項１から請求項７のいずれかに記載のＷＥＢサイトの管理用サーバ。
【請求項９】
前記広告の実施に伴う前記広告料のうち、前記広告を閲覧又は選択したユーザに対して支払う現金相当物を計算する広告協力料金算出部をさらに備え、
前記現金相当物評価額算出部は、前記広告協力料金算出部が算出した、現金相当物を支払うユーザ及び当該現金相当物について、前記連動開始基準レート記憶部が前記連動開始基準レートを記憶している場合に、前記ユーザについて、前記広告協力料金算出部が算出した現金相当物の評価額を、当該ユーザの保持する前記現金相当物の評価額から控除する請求項１から請求項８のいずれかに記載のＷＥＢサイトの管理用サーバ。
【請求項１０】
前記連動開始基準レート記憶部は、前記現金相当物の種類毎に、前記連動開始基準レートを記憶し、
前記現金相当物評価額算出部は、前記現金相当物の種類毎に、対応する前記現金相当物の評価額を算出する請求項１から請求項９のいずれかに記載のＷＥＢサイトの管理用サーバ。
【請求項１１】
管理用サーバが、通信ネットワークを介して公衆からアクセス可能なユーザのＷＥＢページをまとめたＷＥＢサイトを管理する管理方法において、
前記管理用サーバが、前記ユーザを識別するユーザ識別情報を記憶するユーザ識別情報記憶ステップと、
前記ＷＥＢサイトに設けられた広告の実施を示す情報を受け付けたことに応じて、前記実施をした広告の広告料の少なくとも一部を実現価値として記憶する実現価値記憶ステップと、
前記ＷＥＢサイトに係る前記ユーザの活動を示す情報を、前記通信ネットワークを介して受信したことに応じて、前記活動の内容に対応する活動単位を付与し、当該活動単位を前記活動をしたユーザの前記ユーザ識別情報に関連付けて記憶する活動単位付与ステップと、
前記活動単位付与ステップにおいて、前記管理用サーバが前記活動単位を付与する直前の前記実現価値の残高を分配価値総額として算出する分配価値総額算出ステップと、
前記活動単位付与ステップにおいて、前記管理用サーバが前記活動単位を付与する直前の前記活動単位の残高に前記管理用サーバが付与する前記活動単位を加えて分配活動単位総数として算出する分配活動単位総数算出ステップと、
前記分配価値総額算出ステップにおいて、前記管理用サーバが算出した前記分配価値総額を、前記分配活動単位総数算出ステップにおいて、前記管理用サーバが算出した前記分配活動単位総数に基づいて分配することにより、前記活動単位の評価額を算出して記憶する活動単位評価額算出ステップと、
前記ユーザの所有する現金として使用可能又は現金に換金可能な現金相当物について、前記活動単位との、価値連動開始要求を受け付けたことに応じて、前記価値連動開始要求を受け付ける直前の前記活動単位の評価額に基づいて、前記活動単位と前記現金相当物との関係を示す連動開始基準レートを算出して、前記ユーザの前記ユーザ識別情報に関連付けて記憶する連動開始基準レート記憶ステップと、
前記連動開始基準レート記憶ステップにおいて、前記管理用サーバが記憶した連動開始基準レート及び活動単位評価額算出ステップにおいて算出した前記活動単位の評価額に基づいて前記現金相当物の評価額を算出する現金相当物評価額算出ステップとを含む管理方法。
【請求項１２】
通信ネットワークを介して公衆からアクセス可能なユーザのＷＥＢページをまとめたＷＥＢサイトの管理を管理用サーバに実行させる管理プログラムにおいて、
前記管理用サーバに、前記ユーザを識別するユーザ識別情報を記憶させるユーザ識別情報記憶ステップと、
前記ＷＥＢサイトに設けられた広告の実施を示す情報を受け付けたことに応じて、前記実施をした広告の広告料の少なくとも一部を実現価値として記憶させる実現価値記憶ステップと、
前記ＷＥＢサイトに係る前記ユーザの活動を示す情報を、前記通信ネットワークを介して受信したことに応じて、前記活動の内容に対応する活動単位を付与し、当該活動単位を前記活動をしたユーザの前記ユーザ識別情報に関連付けて記憶させる活動単位付与ステップと、
前記活動単位付与ステップにおいて、前記管理用サーバが前記活動単位を付与する直前の前記実現価値の残高を分配価値総額として算出させる分配価値総額算出ステップと、
前記活動単位付与ステップにおいて、前記管理用サーバが前記活動単位を付与する直前の前記活動単位の残高に前記管理用サーバが付与する前記活動単位を加えて分配活動単位総数として算出させる分配活動単位総数算出ステップと、
前記分配価値総額算出ステップにおいて、前記管理用サーバが算出した前記分配価値総額を、前記分配活動単位総数算出ステップにおいて、前記管理用サーバが算出した前記分配活動単位総数に基づいて分配することにより、前記活動単位の評価額を算出して記憶させる活動単位評価額算出ステップと、
前記ユーザの所有する現金として使用可能又は現金に換金可能な現金相当物について、前記活動単位との、価値連動開始要求を受け付けたことに応じて、前記価値連動開始要求を受け付ける直前の前記活動単位の評価額に基づいて、前記活動単位と前記現金相当物との関係を示す連動開始基準レートを算出して、前記ユーザの前記ユーザ識別情報に関連付けて記憶する連動開始基準レート記憶ステップと、
前記連動開始基準レート記憶ステップにおいて、前記管理用サーバが記憶した連動開始基準レート及び活動単位評価額算出ステップにおいて、前記管理用サーバが算出した前記活動単位の評価額に基づいて前記現金相当物の評価額を算出する現金相当物評価額算出ステップとを実行させる管理プログラム。
【発明の詳細な説明】
【技術分野】
【０００１】
本発明は、ＷＥＢサイトの管理用サーバ、管理方法及び管理プログラムに関する。
【背景技術】
【０００２】
従来、アフィリエイトと呼ばれるユーザ参加型の広告活動が知られている。ここでアフィリエイトは、ＷＥＢサイト上のブログ等を用いた広告活動である。この場合、アフィリエイトでは、ユーザが自らブログを執筆し、当該ブログの一部をバナー広告等の広告エリアとして広告主に提供する。アフィリエイトでは、当該広告エリアの広告に対してブログの閲覧者が事前に取り決めた一定の行動を取ると、広告主からユーザに広告料が支払われる。なおこのユーザはアフィリエイターと呼ばれる。またこの一定の行動は、例えば広告の表示、広告のクリックによる広告主のホームページの閲覧、この広告による商品の購入等である。
【０００３】
このような広告活動に関して、特開２００９−２９４７７６号公報には利益の配分方法が提案されている。
【先行技術文献】
【特許文献】
【０００４】
【特許文献１】特開２００９−２９４７７６号公報
【発明の概要】
【発明が解決しようとする課題】
【０００５】
しかしながら従来のアフィリエイトでは、この種のブログ等をまとめたＷＥＢサイトの価値の向上に応じて、広告による利益の配分が適切に実行されていない問題がある。
【０００６】
すなわち従来のアフィリエイトでは、ブログを執筆して当該ＷＥＢサイトの価値向上に係る行為を行ってから、このブログの執筆による広告料の支払いを受けるまで、数十日以上の期間を要することが多い。より具体的に、従来のアフィリエイトでは、ブログをＷＥＢサイトにアップロードした後、少なくとも閲覧者がブログを訪問して上述した一定の行動を行うまで、広告料の支払いを待つ必要がある。なお商品の購入により広告料の支払いを受ける場合には、クーリングオフ期間が経過して売り上げが確定するまで待つ場合もある。
【０００７】
ユーザがこのようなＷＥＢサイトの価値を向上する行為を行っても、広告料が得られるまでに長期の期間を要する場合には、ユーザの活動意欲を停滞させ、結局、ＷＥＢサイトの価値を低下させることもある。
【０００８】
またさらに特定のブロガーが積極的にブログを更新してＷＥＢサイト全体のページビューが大きく伸びたとしても、従来のアフィリエイトでは、あくまで広告が掲載されたページを提供したブロガーが広告料を得ることになるので、この特定ブロガーの積極的な活動が必ずしもこのブロガーに対する広告料の支払いに反映されないことになる。従ってこの場合も、ユーザの活動意欲を停滞させ、結局、ＷＥＢサイトの価値を低下させることになる。
【０００９】
このような状況において、特許文献１には、特定の一次コンテンツから作成された副次的なコンテンツにかかる収益を一次コンテンツのクリエイターに配分する方法が記載されているが、ＷＥＢサイトの価値を向上する行為を行ったブロガー等を含むユーザへの利益配分については何ら記載されていない。さらに、仮に広告による利益の配分が適切に実行できるようなＷＥＢサイトが実現したとしても、分配された当該利益の効用を当該ユーザが享受する場の提供にも改善の余地がある。
【課題を解決するための手段】
【００１０】
そこで本発明は、ブログ等をまとめたＷＥＢサイトの価値を向上する活動を遅滞なく適切に反映して、ユーザへの利益の配分を実行し、さらに分配された当該利益の効用を当該ユーザが享受する場を適切に提供するＷＥＢサイトの管理用サーバ、管理方法及び管理プログラムを提供することを目的とする。
【００１１】
本発明は、具体的には次のようなものを提供する。
【００１２】
（１）  通信ネットワークを介して公衆からアクセス可能なユーザのＷＥＢページをまとめたＷＥＢサイトを管理するＷＥＢサイトの管理用サーバにおいて、
前記ユーザを識別するユーザ識別情報を記憶するユーザ識別情報記憶部と、
前記ＷＥＢサイトに設けられた広告の実施を示す情報を受け付けたことに応じて、前記実施をした広告の広告料の少なくとも一部を実現価値として記憶する実現価値記憶部と、
前記ＷＥＢサイトに係る前記ユーザの活動を示す情報を、前記通信ネットワークを介して受信したことに応じて、前記の活動の内容に対応する活動単位を付与し、当該活動単位を前記の活動をしたユーザの前記ユーザ識別情報に関連付けて記憶する活動単位付与部と、
前記活動単位付与部が前記活動単位を付与する直前の前記実現価値の残高を分配価値総額として算出する分配価値総額算出部と、
前記活動単位付与部が前記活動単位を付与する直前の前記活動単位の残高に前記活動単位付与部が付与する前記活動単位を加えて分配活動単位総数として算出する分配活動単位総数算出部と、
前記分配価値総額算出部が算出した前記分配価値総額を、前記分配活動単位総数算出部が算出した前記分配活動単位総数に基づいて分配することにより、前記活動単位の評価額を算出して記憶する活動単位評価額算出部と、
前記ユーザの所有する現金として使用可能又は現金に換金可能な現金相当物について、前記活動単位との、価値連動開始要求を受け付けたことに応じて、前記価値連動開始要求を受け付ける直前の前記活動単位の評価額に基づいて、前記活動単位と前記現金相当物との関係を示す連動開始基準レートを算出して、前記ユーザの前記ユーザ識別情報に関連付けて記憶する連動開始基準レート記憶部と、
前記連動開始基準レート記憶部が記憶した連動開始基準レート及び活動単位評価額算出部が算出した前記活動単位の評価額に基づいて前記現金相当物の評価額を算出する現金相当物評価額算出部とを備えるＷＥＢサイトの管理用サーバ。
【００１３】
本発明のこのような構成を備えることにより、当該管理用サーバは、ＷＥＢサイトに係るユーザの活動に応じて、対応する活動単位を付与し、当該付与する際に算出した評価値に基づいて当該ＷＥＢサイトの広告料を確実にユーザに分配することができると共に、当該ユーザの所有する現金相当物の価値を、当該活動単位の価値に連動させて管理することができる。従って、当該ユーザは迅速に自らの活動に基づいて利益の配分を得て、以ってＷＥＢサイトの価値を向上する活動に対してインセンティブを得ることができると共に、当該ユーザの所有する現金相当物の価値を当該活動単位の価値に連動させて向上させることが可能となり、以って当該ユーザにとってより身近で使い勝手の良い当該現金相当物の使用を通じて、当該ＷＥＢサイトで得られた価値の効用を享受する場を得ることができる。
【００１４】
（２）  前記価値連動開始要求を受け付けた前記現金相当物について、価値連動終了要求を受け付けたことに応じて、前記価値連動終了要求を受け付ける直前の前記活動単位の評価額に基づいて、前記活動単位と前記現金相当物との関係を示す連動終了基準レートを算出して、前記ユーザの前記ユーザ識別情報に関連付けて記憶する連動終了基準レート記憶部をさらに備える（１）に記載のＷＥＢサイトの管理用サーバ。
【００１５】
本発明のこのような構成を備えることより、当該管理用サーバは、当該ユーザが価値連動の終了を希望した場合や、当該ＷＥＢサイトの運営を中止するような場合において、その際の活動単位の評価額に応じて、当該ユーザと当該ＷＥＢサイトの運営側との間で当該ユーザの所有する現金相当物の精算をするための指標を提供することができる。すなわち、当該ユーザは、当該連動終了基準レートに応じて当該ＷＥＢサイトの運営側との債権債務関係を精算したり、当該現金相当物の発行・管理側も加えて３者間での精算契約を取り交わしたりすることが可能となる。
【００１６】
（３）  前記活動単位評価額算出部が算出した前記活動単位の評価額を示す情報を公衆が閲覧可能な状態で記憶する情報公開部をさらに備える（１）又は（２）に記載のＷＥＢサイトの管理用サーバ。
【００１７】
本発明のこのような構成を備えることにより、当該管理用サーバは、当該活動単位の評価額を公開する。このことにより、ユーザは、自らが所有する当該活動単位の価値を、随時知ることができる。そして、当該ユーザは、自らの活動により当該ＷＥＢサイトの分配価値総額を高めると共に、さらに活動単位の付与を受けるインセンティブを得ることができる。
【００１８】
（４）  前記現金相当物評価額算出部が算出した前記現金相当物の評価額を前記ユーザが閲覧可能な状態で記憶する現金相当物評価額情報記憶部をさらに備える（１）から（３）のいずれかに記載のＷＥＢサイトの管理用サーバ。
【００１９】
本発明のこのような構成を備えることにより、当該管理用サーバは、当該現金相当物の評価額を当該ユーザが閲覧可能とする。このことにより、ユーザは、自らが所有する当該現金相当物の価値を、随時知ることができる。そして、当該ユーザは、自らの活動により当該ＷＥＢサイトの分配価値総額を高めると共に、さらに活動単位の付与を受けるインセンティブを当該ユーザにとってより身近な当該現金相当物の評価額の変動を認知することを通じて得ることができる。
【００２０】
（５）  前記ユーザから、前記ユーザ識別情報に関連付けて記憶した前記活動単位の一部又は全部について、現金として使用可能又は現金に換金可能な現金相当物への、交換希望を受け付けたことに応じて、前記交換希望を受け付ける直前の前記活動単位の評価額に基づいて算出した金額を前記実現価値の残高から減じると共に前記活動単位の数を前記分配活動単位総数から控除する活動単位減少交換部をさらに備える（１）から（４）のいずれかに記載のＷＥＢサイトの管理用サーバ。
【００２１】
本発明のこのような構成を備えることにより、当該管理用サーバは、ユーザの希望に応じて、当該ユーザが所有する当該活動単位を現金相当物と交換する。このことにより、当該ユーザは、いつでも当該活動単位を現金相当物に交換できる安心感のもと、当該活動単位を増やし、あるいは価値を高める活動に専念することができる。さらに、当該ユーザは、現金相当物に交換するよりも、当該ＷＥＢサイトにおける自らの活動に応じて利得の期待できる当該活動単位のまま価値を増やすインセンティブを得ることができる。
【００２２】
（６）  前記ユーザから、現金として使用可能又は現金に換金可能な現金相当物について、前記活動単位への、交換希望を受け付けたことに応じて、交換を希望する金額を前記実現価値の残高に加えると共に、前記交換希望を受け付ける直前の前記活動単位の評価額に基づいて算出した前記活動単位の数を前記分配活動単位総数に追加する活動単位増加交換部をさらに備える（１）から（５）のいずれかに記載のＷＥＢサイトの管理用サーバ。
【００２３】
本発明のこのような構成を備えることにより、当該管理用サーバは、ユーザの希望に応じて、当該ユーザが交換を希望する現金相当物の金額を実現価値の残高に加えると共に、前記交換希望を受け付ける直前の前記活動単位の評価額に基づいて算出した活動単位を分配活動単位総数に加える。このことにより、当該ユーザは、過去に取得して死蔵させているポイント等の現金相当物を当該活動単位に交換して増やすことができる。
【００２４】
（７）  前記実現価値記憶部は、前記ＷＥＢサイトにおける前記ユーザの活動履歴に基づいて作成される分析レポートの販売を示す情報を、前記販売の販売価格を示す情報と共に受け付けたことに応じて、前記分析レポートの前記販売価格の少なくとも一部を前記実現価値に加えて記憶する（１）から（６）のいずれかに記載のＷＥＢサイトの管理用サーバ。
【００２５】
本発明のこのような構成を備えることにより、当該管理用サーバは、当該分析レポートの販売価格の少なくとも一部を当該実現価値に加える。このことにより、ユーザは、より適切な活動履歴を当該サーバに提供し、当該ＷＥＢサイトの分配価値総額を高め、以って自らが受け取る分配価値を高めるインセンティブを得ることができる。当該分析レポートの販売により、当該実現価値が確実に増加するのに対して分配活動単位総数は不変であるため、当該ユーザにとってはより大きなインセンティブとなる。
【００２６】
（８）  前記ユーザが所有する前記現金相当物の残高を記憶する現金相当物記憶部と、
前記ユーザの所有する前記現金相当物の残高の変化に関する情報を受け付けたことに応じて、前記ユーザの所有する現金相当物の残高を更新する現金相当物残高更新部と、をさらに備え、
前記現金相当物評価額算出部は、前記現金相当物残高更新部が更新した、現金相当物を所有するユーザ及び当該現金相当物について、前記連動開始基準レート記憶部が前記連動開始基準レートを記憶している場合に、前記現金相当物残高更新部が更新した残高に基づいて、前記現金相当物の評価額を算出する（１）から（７）のいずれかに記載のＷＥＢサイトの管理用サーバ。
【００２７】
本発明のこのような構成を備えることにより、当該管理用サーバは、価値連動を開始した後、ユーザの所有する現金相当物に変化が生じた場合に、当該変化した後の現金相当物の評価額を記憶する。従って、ユーザは、価値連動を開始した後にさらに現金相当物を取得した場合等において、当該現金相当物の評価額をその都度知ることができる。
【００２８】
（９）  前記広告の実施に伴う前記広告料のうち、前記広告を閲覧又は選択したユーザに対して支払う現金相当物を計算する広告協力料金算出部をさらに備え、
前記現金相当物評価額算出部は、前記広告協力料金算出部が算出した、現金相当物を支払うユーザ及び当該現金相当物について、前記連動開始基準レート記憶部が前記連動開始基準レートを記憶している場合に、前記ユーザについて、前記広告協力料金算出部が算出した現金相当物の評価額を、当該ユーザの保持する前記現金相当物の評価額から控除する（１）から（８）のいずれかに記載のＷＥＢサイトの管理用サーバ。
【００２９】
本発明のこのような構成を備えることにより、当該管理用サーバは、広告料のうち広告を閲覧等したユーザに直接支払われる現金相当物の評価額を当該ユーザの現金相当物の評価額から控除して、当該ユーザに対する価値連動をキャンセルすることができる。このことにより、当該ユーザは、自分で用意した広告枠の広告を自分でクリックして利益を得るインセンティブを失い、当該ＷＥＢサイトにおいて活動することにより活動単位の付与を通じて利益の分配を得ようとするインセンティブを得ることができる。
【００３０】
（１０）  前記連動開始基準レート記憶部は、前記現金相当物の種類毎に、前記連動開始基準レートを記憶し、
前記現金相当物評価額算出部は、前記現金相当物の種類毎に、対応する前記現金相当物の評価額を算出する（１）から（９）いずれかに記載のＷＥＢサイトの管理用サーバ。
【００３１】
本発明はこのような構成を備えることにより、複数種類の現金物相当物に対応することができる。
【００３２】
（１１）  管理用サーバが、通信ネットワークを介して公衆からアクセス可能なユーザのＷＥＢページをまとめたＷＥＢサイトを管理する管理方法において、
前記管理用サーバが、前記ユーザを識別するユーザ識別情報を記憶するユーザ識別情報記憶ステップと、
前記ＷＥＢサイトに設けられた広告の実施を示す情報を受け付けたことに応じて、前記実施をした広告の広告料の少なくとも一部を実現価値として記憶する実現価値記憶ステップと、
前記ＷＥＢサイトに係る前記ユーザの活動を示す情報を、前記通信ネットワークを介して受信したことに応じて、前記活動の内容に対応する活動単位を付与し、当該活動単位を前記活動をしたユーザの前記ユーザ識別情報に関連付けて記憶する活動単位付与ステップと、
前記活動単位付与ステップにおいて、前記管理用サーバが前記活動単位を付与する直前の前記実現価値の残高を分配価値総額として算出する分配価値総額算出ステップと、
前記活動単位付与ステップにおいて、前記管理用サーバが前記活動単位を付与する直前の前記活動単位の残高に前記管理用サーバが付与する前記活動単位を加えて分配活動単位総数として算出する分配活動単位総数算出ステップと、
前記分配価値総額算出ステップにおいて、前記管理用サーバが算出した前記分配価値総額を、前記分配活動単位総数算出ステップにおいて、前記管理用サーバが算出した前記分配活動単位総数に基づいて分配することにより、前記活動単位の評価額を算出して記憶する活動単位評価額算出ステップと、
前記ユーザの所有する現金として使用可能又は現金に換金可能な現金相当物について、前記活動単位との、価値連動開始要求を受け付けたことに応じて、前記価値連動開始要求を受け付ける直前の前記活動単位の評価額に基づいて、前記活動単位と前記現金相当物との関係を示す連動開始基準レートを算出して、前記ユーザの前記ユーザ識別情報に関連付けて記憶する連動開始基準レート記憶ステップと、
前記連動開始基準レート記憶ステップにおいて、前記管理用サーバが記憶した連動開始基準レート及び活動単位評価額算出ステップにおいて算出した前記活動単位の評価額に基づいて前記現金相当物の評価額を算出する現金相当物評価額算出ステップとを含む管理方法。
【００３３】
本発明のこのような方法を当該管理用サーバに実施させることにより（１）と同様の効果が期待できる。
【００３４】
（１２）  通信ネットワークを介して公衆からアクセス可能なユーザのＷＥＢページをまとめたＷＥＢサイトの管理を管理用サーバに実行させる管理プログラムにおいて、
前記管理用サーバに、前記ユーザを識別するユーザ識別情報を記憶させるユーザ識別情報記憶ステップと、
前記ＷＥＢサイトに設けられた広告の実施を示す情報を受け付けたことに応じて、前記実施をした広告の広告料の少なくとも一部を実現価値として記憶させる実現価値記憶ステップと、
前記ＷＥＢサイトに係る前記ユーザの活動を示す情報を、前記通信ネットワークを介して受信したことに応じて、前記活動の内容に対応する活動単位を付与し、当該活動単位を前記活動をしたユーザの前記ユーザ識別情報に関連付けて記憶させる活動単位付与ステップと、
前記活動単位付与ステップにおいて、前記管理用サーバが前記活動単位を付与する直前の前記実現価値の残高を分配価値総額として算出させる分配価値総額算出ステップと、
前記活動単位付与ステップにおいて、前記管理用サーバが前記活動単位を付与する直前の前記活動単位の残高に前記管理用サーバが付与する前記活動単位を加えて分配活動単位総数として算出させる分配活動単位総数算出ステップと、
前記分配価値総額算出ステップにおいて、前記管理用サーバが算出した前記分配価値総額を、前記分配活動単位総数算出ステップにおいて、前記管理用サーバが算出した前記分配活動単位総数に基づいて分配することにより、前記活動単位の評価額を算出して記憶させる活動単位評価額算出ステップと、
前記ユーザの所有する現金として使用可能又は現金に換金可能な現金相当物について、前記活動単位との、価値連動開始要求を受け付けたことに応じて、前記価値連動開始要求を受け付ける直前の前記活動単位の評価額に基づいて、前記活動単位と前記現金相当物との関係を示す連動開始基準レートを算出して、前記ユーザの前記ユーザ識別情報に関連付けて記憶する連動開始基準レート記憶ステップと、
前記連動開始基準レート記憶ステップにおいて、前記管理用サーバが記憶した連動開始基準レート及び活動単位評価額算出ステップにおいて、前記管理用サーバが算出した前記活動単位の評価額に基づいて前記現金相当物の評価額を算出する現金相当物評価額算出ステップとを実行させる管理プログラム。
【００３５】
本発明のこのような各ステップを当該管理用サーバに実行させることにより（１）と同様の効果が期待できる。
【発明の効果】
【００３６】
本発明によれば、管理用サーバは、ユーザによるＷＥＢサイト上での活動を、迅速に価値分配のための活動単位で表現して当該活動をしたユーザに付与し、当該ＷＥＢサイトにおいて実施された広告に基づく実現価値を迅速に当該活動単位の価値に反映することができると共に、当該ユーザの所有する現金相当物の価値を、当該活動単位の価値に連動させて管理することができる。従って、ブログ等をまとめたＷＥＢサイトの価値の向上を遅滞なく適切に反映し、当該価値のユーザへの配分を適切に実行すると共に、当該ユーザの所有する現金相当物の価値を、当該活動単位の価値に連動させて管理することができるＷＥＢサイトの管理用サーバ、管理方法及び管理プログラムを提供することができる。
【図面の簡単な説明】
【００３７】
【図１】本発明の第１の実施の形態に係るシステムを示すブロック図である。
【図２】図１のシステムにおける広告料テーブルを示す図表である。
【図３】図１のシステムにおける実現価値ログを示す図表である。
【図４】図１のシステムにおけるマイルテーブルを示す図表である。
【図５】図１のシステムにおける付与マイルログを示す図表である。
【図６】図１のシステムにおけるポイント価値連動開始基準レートテーブルを示す図表である。
【図７】図１のシステムにおけるポイント価値連動終了基準レートテーブルを示す図表である。
【図８】図１のシステムにおける管理用サーバの機能ブロック図である。
【図９】図１のシステムにおける管理用サーバの処理手順を示すフローチャートである。
【図１０】図１のシステムにおける管理用サーバの処理手順を示すフローチャートである。
【図１１】図１のシステムにおける管理用サーバの処理手順を示すフローチャートである。
【図１２】本発明の第２の実施の形態に係るシステムを示すブロック図である。
【図１３】図１２のシステムにおける管理用サーバの機能ブロック図である。
【図１４】図１３のシステムにおける管理用サーバの処理手順を示すフローチャートである。
【図１５】本発明の第３の実施の形態に係るシステムを示すブロック図である。
【図１６】図１５のシステムにおける管理用サーバの処理手順を示すフローチャートである。
【図１７】本発明の第４の実施の形態に係るシステムを示すブロック図である。
【図１８】図１７のシステムにおける管理用サーバの機能ブロック図である。
【図１９】図１８のシステムにおける管理用サーバの処理手順を示すフローチャートである。
【図２０】本発明の第５の実施の形態に係るシステムを示すブロック図である。
【図２１】図２０のシステムにおける管理用サーバの機能ブロック図である。
【図２２】図２０のシステムにおける管理用サーバの処理手順を示すフローチャートである。
【図２３】本発明の第６の実施の形態に係るシステムを示すブロック図である。
【図２４】図２３のシステムにおける管理用サーバの機能ブロック図である。
【図２５】本発明の第７の実施の形態に係るシステムを示すブロック図である。
【図２６】図２５のシステムにおける管理用サーバの機能ブロック図である。
【図２７】本発明の第８の実施の形態に係るシステムを示すブロック図である。
【発明を実施するための形態】
【００３８】
以下、本発明の実施の形態について詳述する。
【００３９】
（１）第１の実施の形態
図１は、本発明の第１の実施の形態に係るシステム１を示すブロック図である。このシステム１は、ブログ、コンテンツ等の商品販売のページを含むＷＥＢサイトにおいて実現した広告料に基づく実現価値を、当該ＷＥＢサイトで活動をしたユーザに配分する。
【００４０】
すなわちこのシステム１において、ＷＥＢサーバ２は、複数のＷＥＢページによるＷＥＢサイトを運営するサーバである。この実施の形態において、このＷＥＢページは、ブログを含む。ＷＥＢサーバ２は、登録されたユーザのユーザ端末３によるアクセスにより、ブログの執筆、更新を受け付け、さらにはユーザ端末３で購読可能なメールマガジンを発行する。ＷＥＢサーバ２は、ユーザ端末３からのアクセスを管理用サーバ６に通知することにより、ＷＥＢサイトに係る当該ユーザの活動を通知する。このように、ＷＥＢサーバ２は、ブログ、商品販売等に係る一般的なＷＥＢサーバの構成を備えてもよい。
【００４１】
またＷＥＢサーバ２は、上記のユーザを含む閲覧者の端末である閲覧者端末４からのアクセスにより、対応するＷＥＢページを当該閲覧者端末４で表示する。閲覧者端末４は、ＷＥＢページに設定された広告スペースに、対応する広告を表示すると共に、ＷＥＢサーバ２に表示した旨を通知する。さらに閲覧者端末４は、ＷＥＢページの広告の閲覧者のクリック操作を受け付けると、当該広告に設定されたリンクにより、ＷＥＢサーバ２にクリックした旨を通知すると共に、広告主サーバ５にページ要求を送信し、広告主サーバ５から受信した商品購入等に係るＷＥＢページを表示する。なおこの通知の方法は、ＷＥＢビーコンによるもの等の様々な方法が採用可能である。
【００４２】
またＷＥＢサーバ２は、閲覧者端末４からのアクセスによりメールマガジンの購読要求を受け付ける。ＷＥＢサーバ２は、当該購読要求を受け付けたことに応じて、閲覧者端末４から送信された指定メールアドレスに対して定期的に、あるいは不定期にメールマガジンを生成して送信するために当該指定メールアドレスを記憶する。
【００４３】
ＷＥＢサーバ２は、このＷＥＢページの閲覧に係る閲覧者端末４のアクセス、広告のクリックを管理用サーバ６に通知することにより、広告の実施を示す情報を管理用サーバ６に通知する。なお、この通知の方法はこれに限られず、ＷＥＢビーコンを各ＷＥＢページに埋め込んでおき、各ページが閲覧者端末４で表示される際に、閲覧者端末４から直接、管理用サーバ６に通知してもよい。またこの場合の広告の実施を示す情報は、例えば広告の表示及び広告のクリック等を示す情報である。
【００４４】
広告主サーバ５は、ＷＥＢページで広告を行う広告主のサーバであり、ＷＥＢページに設定されたリンクを辿った閲覧者端末４のアクセスにより、商品やサービスの購入に係るホームページを閲覧者端末４で表示する。またこの商品購入に係るホームページの表示により、商品やサービスの購入を受け付ける。広告主サーバ５は、この商品やサービスの購入により商品発送やサービスへの申し込み等の一連の処理を指示する。広告主サーバ５は、リンク元のＷＥＢページを特定する情報を記録して保持し、商品やサービスの販売が確定すると、対応するＷＥＢページを特定する情報を管理用サーバ６に通知する。これにより広告主サーバ５は、商品の販売を広告料の支払い条件としている場合について、広告の実施を示す情報を管理用サーバ６に通知する。なお、この通知の方法はこれに限られず、ＷＥＢビーコンを各ＷＥＢページに埋め込んでおき、各ページが閲覧者端末４で表示される際に、閲覧者端末４から直接管理用サーバ６に通知してもよい。さらに、これらの手法に限らず、アフィリエイトシステム等において使用されている各種の手法を広く適用することができる。
【００４５】
広告主端末８は、ＷＥＢページで表示する広告に関する各種の情報を設定する広告主の端末装置である。広告主端末８は、ＷＥＢページで表示する広告の情報（画像情報、テキスト情報等）、この広告に係る広告料、この広告料の支払い条件、この広告による広告主サーバ５のホームページのＵＲＬ、広告に係る商品の属性情報等を管理用サーバ６に通知する。なおここでこの広告料の支払い条件は、例えば広告の表示により広告料を支払う、広告のクリックにより広告料を支払う、商品やサービスの販売の確定により広告料を支払等の条件である。
【００４６】
管理用サーバ６は、ＷＥＢサイトの管理プログラムの実行により、このＷＥＢサイトを管理するサーバである。管理用サーバ６は、ユーザ端末３がユーザからユーザ登録を要求する操作を受け付けたことに応じて、ユーザ端末３から当該ユーザ登録の要求を受け付け、当該ユーザを識別する識別情報、対応するＷＥＢページを特定するＷＥＢページの識別情報等によりユーザデータベース（ユーザＤＢ６Ｅ）を構築する。
【００４７】
また管理用サーバ６は、広告主端末８から指定された属性情報、広告料等により、各ＷＥＢページで表示する広告を選択する。また管理用サーバ６は、この選択に基づいてＷＥＢページに設定されるリンクに対応付けて広告の情報、広告主サーバ５によるホームページのＵＲＬをＷＥＢサーバ２に記録することにより、ＷＥＢページに広告主の広告を表示可能に設定し、さらには閲覧者端末４で広告主サーバ５のホームページを表示可能に設定する。なお、これらの広告の選択や設定の処理は管理用サーバ６に限られず、ＷＥＢサーバ２やその他のサーバが行ってもよい。この場合、これらのサーバは広告の実施を示す情報を管理用サーバ６に送信する。
【００４８】
なおこの実施の形態において、管理用サーバ６は、入札により広告を受け付ける。従って管理用サーバ６は、広告主端末８から入札の条件を受け付け、各広告スペースの属性に対応する入札の中から、最も高い入札額（広告料）を示した広告を選択し、ＷＥＢページで表示する広告を決定する。従ってこのシステム１では、同一のＷＥＢページを閲覧して同種の広告を表示する場合であっても、閲覧の日時等によって広告料が種々に変動することになる。なお、これらの入札等による広告の受け付けは管理用サーバ６に限られず、ＷＥＢサーバ２が直接受け付けて、広告の設定内容を管理用サーバ６に通知してもよい。
【００４９】
また管理用サーバ６は、広告主端末８から受け付けた広告料、この広告料の支払い条件をテーブルの形式により記録することにより、図２に示すように、広告料テーブル６Ａを作成して保持する。なおこの図２の例では、広告主ＩＤ「００１」の広告ＩＤ「ＸＹＺ」の広告については、広告の実施内容に応じて、表示、クリック、商品の購入によりそれぞれ２０円、４０円、８００円の広告料が支払われることが示されている。
【００５０】
管理用サーバ６は、ＷＥＢサーバ２、広告主サーバ５からの通知によりこの広告料テーブル６Ａを参照し、これによりＷＥＢサーバ２、広告主サーバ５からの広告の実施を示す情報の通知によって対応する広告料を算出する。なお、これに限られず、管理用サーバ６は、広告の実施を示す情報の中に広告料に関する情報を含んで通知を受けてもよい。この他、広告を実施して当該ＷＥＢサイトの収入として確定した広告料を特定する様々な方法が採用可能である。さらに、管理用サーバ６は、算出あるいは特定した広告料の少なくとも一部、例えば所定割合を、実現価値として算出する。ここで実現価値は、得られた広告料のうち、ユーザに配分する金額である。なお、この所定割合は適宜決定することができる。管理用サーバ６は、図３に示すように、この算出実現価値を関連する情報と共に時系列により記録して実現価値ログ６Ｃを作成する。なおこの図３の例では、広告主ＩＤ「００１」、広告ＩＤ「ＸＹＺ」により特定される広告について、この広告の表示により２０円の広告料収入が得られ、その半分（３分の１や３０％等その他の割合や、様々な計算式によるものも可能である）の１０円の実現価値が算出されている。また続いてこの広告がクリックされることにより４０円の広告料収入が得られ、２０円の実現価値が算出されていることが示されている。また続いて広告主ＩＤ「００３」、広告ＩＤ「ＡＡＡ」により特定される広告の商品の販売により９００円の広告料収入が得られ、４５０円の実現価値が算出されていることが示されている。なお、これらの一連の実現価値の算出の処理については管理用サーバ６に限られず、ＷＥＢサーバ２が広告料の算出あるいは特定を行い、図２に示す実現価値ログ６Ｃの一部を作成、更新してもよい。そして、管理用サーバ６は、ＷＥＢサーバ２から実現価値ログ６Ｃの内容の通知を受けて、実現価値を算出してもよい。あるいは、管理用サーバ６及びＷＥＢサーバ２を一体とするサーバとして実現してもよい。
【００５１】
また管理用サーバ６は、事前の設定により、ユーザのＷＥＢサイトに係る活動の内容に応じて付与する活動単位（マイル）を示すテーブルとしてマイルテーブル６Ｂを備える。ここでマイルテーブル６Ｂは、図４に示すように、ＷＥＢサーバ２あるいはユーザ端末３から通知されるＷＥＢページに係るユーザの活動の内容に応じて付与するマイルを記録したテーブルである。ここでマイルは、当該ＷＥＢサイトの価値の向上に対するユーザの活動を評価する活動単位である。以下、本実施形態においては、活動単位としてマイルを付与する例で説明する。この実施の形態において、このマイルの付与対象となるＷＥＢページに関するユーザの活動は、ブログの作成、更新、閲覧、メールマガジンの発行である。なおこの実施の形態では、これらの活動の他に、閲覧者がメールマガジンの購読を申し込む活動や単に閲覧する活動も、広い意味でＷＥＢサイトの価値向上に資する活動としてマイルを付与するべく、マイルテーブル６Ｂに記録される。
【００５２】
この図４に示す例では、活動ＩＤ「Ａ」及び「Ｂ」により特定される活動にそれぞれ１５マイル、２０マイルが付与されることが示されている。なお活動ＩＤ「Ａ」及び「Ｂ」の活動は、例えばブログの更新、新規作成である。なおこのマイルは、ＷＥＢサイトの価値の向上に役立てるとの観点より、当該ＷＥＢページがブログであることを考慮して付与される。従ってＷＥＢサイトの種類によって、さらには観点の相違によりマイルの付与の多寡は種々に異なる。
【００５３】
管理用サーバ６は、ＷＥＢサーバ２又はユーザ端末３からの当該ユーザの各種活動を示す通知によりこのマイルテーブル６Ｂを参照して各活動に対応して当該ユーザに付与するマイルを算出する。また図５に示すように、算出したマイルを関連する情報と共に時系列により記録して付与マイルログ６Ｄを作成する。なおこの図５の例では、ＷＥＢページＩＤ「ａｂｃ」によるＷＥＢページについて、ユーザＩＤ「１１１」にユーザが活動ＩＤ「Ａ」により特定される活動をし、これにより値１５のマイルが付与されたことが示されている。また続いて、ＷＥＢページＩＤ「ＸＹＺ」によるＷＥＢページについて、ユーザＩＤ「２２２」のユーザが活動ＩＤ「Ｂ」により特定される活動をし、これにより値２０のマイルが付与されていることが示されている。
【００５４】
管理用サーバ６は、ユーザの所有する現金として使用可能又は現金に換金可能な現金相当物（例えば、ポイント）について、マイルとの、価値連動開始要求を受け付けたことに応じて、当該価値連動開始要求を受け付ける直前のマイルの評価額に基づいて、マイルと現金相当物（ポイント）との関係を示す連動開始基準レートを算出して、当該ユーザのユーザＩＤに関連付けて記憶し、ポイント価値連動開始基準レートテーブル６Ｎを構築する。なお、この連動開始基準レートは、当該直前のマイルの評価額よりも高い価値のレートにより算出したものであってもよい。さらに、この現金相当物は、企業が顧客の囲い込み等の目的で配布するいわゆるポイントやスタンプ、金券等が含まれるが、本実施形態においては、「ポイント」を例に挙げて説明する。ここで、価値連動開始要求とは、ユーザの保持するポイントの価値を、当該ＷＥＢページ上におけるマイルの価値変動に連動させる、という旨の要求である。また、ユーザ又はマイル若しくはポイントシステムの運営主体等のいずれもがその要求主体となり得る。そして、管理用サーバ６は、例えば当該ＷＥＢサイトへのユーザ登録の際に当該要求を受け付けてもよい。
【００５５】
図６に示す例では、ユーザＩＤ「１１１」のユーザの、ポイントＩＤ「Ｐ００１」の連動開始基準レートが「１マイル＝１ポイント」である旨等が記憶されている。このように管理用サーバ６は、ユーザ毎、ポイント毎にマイルとの連動開始基準レートをそれぞれ記憶・管理する。
【００５６】
同様に、管理用サーバ６は、当該ポイントについて、マイルとの、価値連動終了要求を受け付けたことに応じて、前記価値連動終了要求を受け付ける直前の前記マイルの評価額に基づいて、マイルとポイントとの関係を示す連動終了基準レートを算出して、当該ユーザのユーザＩＤに関連付けて記憶し、ポイント価値連動終了基準レートテーブル６Ｑを構築する。ここで、価値連動終了要求とは、ユーザの保持するポイントの価値について、当該ＷＥＢページ上におけるマイルの価値変動に連動を終了させる、という旨の要求である。また、ユーザ又はマイル若しくはポイントシステムの運営主体等のいずれもがその要求主体となり得る。そして、管理用サーバ６は、例えば当該ＷＥＢサイトからユーザ登録を抹消する際や当該ＷＥＢサイト自体を閉鎖する際に当該要求を受け付けてもよい。
【００５７】
図７に示す例では、ユーザＩＤ「１１１」のユーザの、ポイントＩＤ「Ｐ００１」の連動終了基準レートが「１マイル＝３ポイント」である旨等が記憶されている。このように管理用サーバ６は、ユーザ毎、ポイント毎にマイルとの連動終了基準レートをそれぞれ記憶・管理する。
【００５８】
管理用サーバ６は、これら実現価値ログ、付与マイルログ６Ｄの記録を処理して広告料による利益を各ユーザに配分すると共に、当該ユーザの所有するポイントの価値を、当該マイルの価値に連動させて管理する。
【００５９】
図８は、これら実現価値ログ６Ｃ、付与マイルログ６Ｄの処理に係る管理用サーバ６の構成を示す機能ブロック図である。従って管理用サーバ６においては、この図８の機能ブロックに対応する処理ステップを適宜実行することになる。
【００６０】
この図８の構成において、ユーザ識別情報記憶部６Ｆは、ユーザ端末３からのアクセスによりユーザ登録が指示されると、当該ユーザを識別するユーザ識別情報を記憶してユーザデータベース（ユーザＤＢ６Ｅ）を構築する。
【００６１】
活動単位付与部としてのマイル付与部６Ｇは、ＷＥＢサイトに係るユーザの活動を示す情報を通信ネットワークを介して受信すると、当該活動の内容に対応する活動単位としてマイルを付与し、このマイルをユーザ識別情報に関連付けて記憶する。より具体的に、マイル付与部６Ｇは、上述したように、ＷＥＢサーバ２あるいは広告主サーバ５からの通知を受信したことに応じて、マイルテーブル６Ｂを参照して各活動に対して付与するマイルを算出し、付与マイルログ６Ｄに記憶する。
【００６２】
分配活動単位総数算出部としての分配マイル総数算出部６Ｈは、マイル付与部６Ｇがマイルを付与する直前のマイルの残高にマイル付与部６Ｇが付与するマイルを加えて分配マイル総数（分配活動単位総数）を算出する。さらに、各ユーザから、各ユーザのユーザ識別情報に関連付けて記憶したマイルの一部又は全部について、現金として使用可能又は現金に換金可能な現金相当物（例えば、ポイント）への、交換希望を受け付けたことに応じて、管理用サーバ６は、当該現金相当物（ポイント）への交換処理を実行しこの交換処理に対応して各ユーザのマイルを減少させる。さらに、各ユーザから、現金として使用可能又は現金に換金可能な現金相当物（ポイント）について、マイルへの、交換希望を受け付けたことに応じて、管理用サーバ６は、当該現金相当物（ポイント）からマイルへの交換処理を実行し、対応して各ユーザのマイルを増加させる。従って管理用サーバ６において、各ユーザのマイル、ＷＥＢサイトにおけるマイルの総数は種々に変化することになる。
【００６３】
そこで分配マイル総数算出部６Ｈは、マイル付与部６Ｇがマイルを付与する毎に付与マイルログ６Ｄの記録を参照し、マイル付与部６Ｇで今回付与したマイルをそれまでの全ユーザのマイルの集計値に加算し、マイル総数（分配活動単位総数）を算出する。
【００６４】
実現価値記憶部６Ｉは、上述したように、ＷＥＢサイトに設けられた広告の実施を示す情報を受け付けると、当該ＷＥＢサイトへの支払いが確定した広告料の少なくとも一部、例えば所定割合を、実現価値として記憶して実現価値ログ６Ｃを構築する。
【００６５】
分配価値総額算出部６Ｊは、その時点での実現価値の残高を分配価値総額として算出する。さらに、各ユーザから、各ユーザのユーザ識別情報に関連付けて記憶したマイルの一部又は全部について、現金として使用可能又は現金に換金可能な現金相当物（ポイント）への、交換希望を受け付けたことに応じて、管理用サーバ６は、当該現金相当物（ポイント）への交換処理を実行しこの交換処理に対応して各ユーザのマイルを減少させる。さらに、各ユーザから、現金として使用可能又は現金に換金可能な現金相当物（ポイント）について、マイルへの、交換希望を受け付けたことに応じて、管理用サーバ６は、当該現金相当物（ポイント）からマイルへの交換処理を実行し、対応して各ユーザのマイルを増加させる。さらに、当該ＷＥＢサイトにおける当該ユーザの活動履歴に基づいて作成される分析レポートの販売を示す情報を、当該販売の販売価格を示す情報と共に受け付けたことに応じて、管理用サーバ６は、当該分析レポートの当該販売価格の少なくとも一部、例えば所定割合を実現価値に加えて記憶する。従って管理用サーバ６では、分配可能な利益（実現価値）の総額もこれらの処理により種々に変化することになる。
【００６６】
そこで分配価値総額算出部６Ｊは、分配マイル総数算出部６Ｈで算出する分配マイル総数（分配活動単位総数）に対応するその時点での実現価値の残高を実現価値の総額として算出する。
【００６７】
活動単位評価額算出部としてのマイル評価額算出部６Ｋは、分配価値総額算出部６Ｊで算出した分配価値総額を、分配活動単位総数算出部としての分配マイル総数算出部６Ｈが算出した分配マイル総数（分配活動単位総数）に基づいて分配することにより、マイル（活動単位）の評価額を算出して記憶する。より具体的に、この実施の形態において、活動単位評価額算出部としてのマイル評価額算出部６Ｋは、分配価値総額算出部６Ｊで算出した分配価値総額を、分配マイル総数算出部６Ｈが算出した分配マイル総数（分配活動単位総数）で割り算して活動単位の評価額を算出する。
【００６８】
なおこれによりこの実施の形態では、ユーザに付与されたマイルに単純比例するように利益を分配することになる。しかしながら例えばユーザに付与されたマイルが増大するに従って分配率が低下する場合等、それぞれのユーザに付与されたマイルの集計値を基準にした利益の分配にあっては、種々の手法を適用することができる。なおこのようにユーザに付与されたマイルが増大するに従って分配率が低下するように設定した場合には、付与されたマイルの少ないユーザに対して積極的にブログの更新を働きかけるように、付与されたマイルの少ないユーザに対してインセンティブを増大させることができる。
【００６９】
情報公開部６Ｌは、マイル評価額算出部６Ｋが算出したマイル（活動単位）の評価額を示す情報を公衆が閲覧可能な状態で記憶する。管理用サーバ６は、この情報をユーザ端末３、閲覧者端末４のアクセスによりこれらのユーザ端末３、閲覧者端末４に提供する。すなわちこの実施の形態において、各ＷＥＢページにマイル（活動単位）確認のメニューが設けられており、ＷＥＢサーバ２は、このメニューのクリックにより対応するユーザ端末３にマイル（活動単位）の確認画面を表示し、この確認画面でマイル（活動単位）の評価額を表示する。またユーザ端末３によりアクセスにおいては、併せて現在のマイル（活動単位）の集計値を表示する。
【００７０】
管理用サーバ６は、この変換処理のメニューに設定されたリンクにより、変換処理のメニューがクリックされると、変換処理用の画面をユーザ端末３で表示する。管理用サーバ６は、この変換処理用の画面で、当該ユーザのマイル（活動単位）の残高に評価額を乗算し、現在のマイル（活動単位）に対応する分配価値の額を表示する。また現金として使用可能又は現金に換金可能な現金相当物（ポイント）に変換するマイル数（活動単位数）の入力を受け付ける。なおここでこの交換対象の現金相当物は、例えばポイントや電子マネーである。
【００７１】
活動単位減少交換部としてのマイル減少交換部６Ｍは、この交換処理用の画面におけるユーザの操作により、現金相当物（ポイント）への交換が指示されると、交換指示を受け付ける直前のマイル（活動単位）の評価額よりも低い価値の交換レートにより算出した金額を実現価値の残高から減じると共に、対応するマイル（活動単位）の数を分配マイル総数（分配活動単位総数）から減算する。なおここで低い価値の交換レートとしたのは、交換の際に手数料を徴収するためと、ユーザに対し、マイル（活動単位）をより多く保持し、ＷＥＢサイトの価値の増大という共通の目的に資する活動を積極的に行うインセンティブを与えるためである。
【００７２】
図３の例により具体的に説明すると、ある時点で実現価値の残高が１００００円であった場合、その時点でさらに図３に示すような各実現価値が確定する度に、実現価値の残高は、それぞれ１００１０円、１００３０円、１０４８０円に増加する。また図５の例の場合、マイルを付与する直前のマイルの総数が１００００マイルである場合、ユーザが各活動をする度に、マイルの総計は、それぞれ１００１５マイル、１００３５マイルに増加する。従って活動ＩＤ「Ａ」の活動の時間が１２時１２分であることから、活動ＩＤ「Ａ」の活動に係る１２時１２分の時点では、その直前の実現価値の残高は１００１０円となり、マイルの評価額は、１００１０円を１００１５マイルで割った０．９９９５００７４８円となる。また続く活動ＩＤ「Ｂ」の活動に係る１２時１４分の時点では、その直前の実現価値の残高は１００３０円となり、マイルの評価額は、１００３０円を１００３５マイルで割った０．９９９５０１７４３円となる。また続く１２時１５分の時点では、１０４８０円を１００３５マイルで割った１．０４４３４４７９３円がマイルの評価額となる。この１２時１５分の実現価値の増加後の時点で２０マイルがポイントや電子マネー等の現金相当物に変換されると、マイルの総計から２０マイルが減算され、さらに２０マイル×１．０９９３１０３０８円（その時点の評価額よりも５％低いレート）の分だけ実現価値の残高から減額されることになる。
【００７３】
連動開始基準レート記憶部６Ｒは、ユーザの所有するポイントについて、マイルとの、価値連動開始要求を受け付けたことに応じて、当該価値連動開始要求を受け付ける直前のマイルの評価額に基づいて、マイルとポイントとの関係を示す連動開始基準レートを算出して、当該ユーザのユーザＩＤに関連付けて、ポイント価値連動開始基準レートテーブル６Ｎに記憶する。
【００７４】
同様に、連動終了基準レート記憶部６Ｔは、当該ポイントについて、マイルとの、価値連動終了要求を受け付けたことに応じて、前記価値連動終了要求を受け付ける直前のマイルの評価額に基づいて、マイルとポイントとの関係を示す連動終了基準レートを算出して、前記ユーザの前記ユーザＩＤに関連付けて、ポイント価値連動終了基準レートテーブル６Ｑに記憶する。
【００７５】
現金相当物評価額算出部としてのポイント評価額算出部６Ｓは、連動開始基準レート記憶部６Ｒが記憶した連動開始基準レート及びマイル評価額算出部６Ｋが算出したマイルの評価額に基づいてポイントの評価額を算出する。
【００７６】
現金相当物評価額情報記憶部としてのポイント評価情報記憶部６Ｕは、ポイント評価額算出部６Ｓが算出したポイントの評価額をユーザが閲覧可能な状態で記憶する。
【００７７】
図９は、図８の機能ブロック図の各構成に対応する管理用サーバ６の処理手順を示すフローチャートである。管理用サーバ６は、インターネット等の通信ネットワークを介したアクセスによりユーザ登録の要求を受け付けると、ユーザ識別情報記憶部６Ｆに係る処理を実行し、当該ユーザをユーザデータベース（ユーザＤＢ６Ｅ）に登録する（ＳＰ１−ＳＰ２−ＳＰ３）。また広告の実施に係る情報を受け付けると、実現価値記憶部６Ｉに係る処理を実行し、実現価値を算出する（ＳＰ４−ＳＰ５）。
【００７８】
またユーザの活動により、マイル付与部６Ｇ、分配マイル総数算出部６Ｈ、マイル評価額算出部６Ｋに対応する処理を順次実行し、マイル（活動単位）の評価額を計算する（ＳＰ６−ＳＰ７−ＳＰ８−ＳＰ９）。またユーザ端末３、閲覧者端末４からのアクセスにより情報公開部６Ｌに係る処理を実行し、マイル（活動単位）の評価額を表示する（ＳＰ１０−ＳＰ１１）。またユーザによりマイルの変換要求を受け付けると、マイル減少交換部６Ｍに対応する処理を実行し、ユーザの指示したマイル数をポイント（現金相当物）に交換する（ＳＰ１２、ＳＰ１３）。
【００７９】
図１０は、図８の機能ブロック図の連動開始基準レート記憶部６Ｒ及び連動終了基準レート記憶部６Ｔに対応する管理用サーバ６の処理手順を示すフローチャートである。
【００８０】
連動開始基準レート記憶部６Ｒは、ユーザの所有するポイントについて、マイルとの、価値連動開始要求を受け付けたことに応じて、当該価値連動開始要求を受け付ける直前のマイルの評価額に基づいて、マイルとポイントとの関係を示す連動開始基準レートを算出して、当該ユーザのユーザＩＤに関連付けて記憶する（ＳＰ４１−ＳＰ４２）。
【００８１】
同様に、連動終了基準レート記憶部６Ｔは、ユーザの所有するポイントについて、マイルとの、価値連動終了要求を受け付けたことに応じて、当該価値連動終了要求を受け付ける直前のマイルの評価額に基づいて、マイルとポイントとの関係を示す連動終了基準レートを算出して、当該ユーザのユーザＩＤに関連付けて記憶する（ＳＰ４３−ＳＰ４４）。
【００８２】
図１１は、図８の機能ブロック図のポイント評価額算出部６Ｓ及びポイント評価情報記憶部６Ｕに対応する管理用サーバ６の処理手順を示すフローチャートである。
【００８３】
ポイント評価額算出部６Ｓは、連動開始基準レート記憶部６Ｒが記憶した連動開始基準レート及びマイル評価額算出部６Ｋが算出したマイルの評価額に基づいてポイントの評価額を算出する（ＳＰ５１）。
【００８４】
さらに、ポイント評価情報記憶部６Ｕは、ポイント評価額算出部６Ｓが算出したポイントの評価額をユーザが閲覧可能な状態で記憶する（ＳＰ５２）。
【００８５】
（２）実施の形態の動作
以上の構成において、このシステム１では（図１）、ユーザ端末３によりＷＥＢサーバ２にアクセスしてブログの更新等が実行され、閲覧者端末４によるアクセスによりこのブログが閲覧される。このブログには、広告が掲載されており、ユーザを含む閲覧者によるこの広告のクリック操作を受け付けると、閲覧者端末４は、広告に設定されたリンクを辿って広告主サーバ５にアクセスし、この広告に係るホームページを表示する。システム１は、この広告の表示、この広告のクリック、この広告を辿ったホームページにおける商品の購入に応じて、広告主からの広告料の支払を確定させ、その一部を実現価値として記憶する。
【００８６】
従来のアフィリエイトにおいて、この広告主が支払った広告料は、対応する広告を表示したＷＥＢページのユーザに配分される。これにより従来のシステムでは、頻繁にブログを更新し、当該ＷＥＢサイトの集客に大きく寄与しているユーザにあっても、直には高い収益が保障されないことになる。特にブログにあっては、頻繁に書き込みしてページが長くなると、その分、広告が見つかり難くなる。従ってこの場合には、積極的にサイトの価値向上に活動しているにも拘わらず、却って収益は減収することになる。また広告料の収入にあっては、数十日程度待つ必要がある。これらによりＷＥＢサイトの価値向上に積極的に活動するユーザに対して、従来のシステムでは、その活動に見合う対価が支払われていないことになる。
【００８７】
そこでこの実施の形態では、広告料が支払われたブログのユーザが誰かに関わらず、ＷＥＢサイトの価値向上に寄与するユーザの活動について、それぞれマイルが付与される。またこのマイルがユーザ毎に集計され、集計値に基づいて実現価値が分配される。
【００８８】
これにより積極的にブログを更新し、当該ＷＥＢサイトの人気を高めるユーザに対しても、適切に実現価値を配分することができる。また同様に積極的にメールマガジンを発行して当該ＷＥＢサイトの評判を高めるユーザに対しても、同様に、適切に実現価値を配分することができる。さらに、ブログの執筆もメールマガジンの発行も行わない、単にこれらを閲覧するだけのユーザに対しても、ページビューの増加等に応じて当該ＷＥＢサイトの価値を高めるその閲覧という活動に対してマイルが付与される。その結果、このようなユーザにあっては、当該ＷＥＢサイトの人気、評価を高める行為が評価されて利益を得ることができることにより、益々、当該ＷＥＢサイトの人気、評価を高める行為に励むことが予測され、その結果、当該ＷＥＢサイトの価値を向上することができる。
【００８９】
またブログを開設した直後にあっても、そのブログの開設という活動に対してすぐにマイルが付与される。さらに、閲覧者の来訪により当該ブログが表示されると、マイルが付与される。このように、ＷＥＢサイトの価値向上につながる活動であればどのような活動であっても活動の内容に応じてマイルの付与を受け、その評価額により実現価値の分配を受けることができる。これにより新規にブログを開設したユーザ等に対して、やる気を起こさせ、ブログに対するモチベーションを向上させることができ、その結果、このようなユーザの積極的な活動を促して当該ＷＥＢサイトの価値を向上することができる。
【００９０】
より具体的に、この実施の形態では、ユーザの活動に対応してその時点でのマイルの評価額を求め、この評価額を基準にして実現価値を分配する。この場合、例えばＷＥＢサイトの価値を向上する活動を実行すればする程、自己マイルを増大させてその時点での実現価値の分配を受けることができ、その結果、ＷＥＢサイトの価値を向上する活動に対して大きなインセンティブを与えることができる。
【００９１】
（３）実施の形態の効果
以上の構成によれば、ＷＥＢサイトに係るユーザの活動に対応して、対応するマイルを付与して実現価値を分配することにより、ＷＥＢサイトの価値を向上する活動をしたユーザに対しても迅速に利益を分配することができる。
【００９２】
またマイルの評価額を公開することにより、ユーザは、自らが所有するマイルの価値を随時知ることができる。その結果、一段とＷＥＢサイトの価値を高める活動に対してインセンティブを与えることができる。
【００９３】
またさらにユーザの指示により現金相当物と交換する処理を実行することにより、ユーザは、いつでも当該マイルを現金相当物に交換できる安心感のもと、当該マイルを増やし、あるいは価値を高める活動に専念することができる。これによっても一段とＷＥＢサイトの価値を高める活動に対してインセンティブを与えることができる。またユーザに対して、現金相当物に交換するよりも、マイルのまま保持して、マイルの評価値を増大させる活動に専念させる動機付けを与えることができ、これによっても一段とＷＥＢサイトの価値を高める活動に対してインセンティブを与えることができる。
【００９４】
さらに、ユーザＩＤ「１１１」のユーザＡが、入会した際（価値連動を開始した際１マイル＝１円（マイル単価）のとき）に１００円の動画を買う際には、１００ポイントを使用する。計算の根拠は、１００円（商品価格）／１円（マイル単価）＊（ユーザＡのポイントの連動開始基準レート：１マイル＝１ポイント）＝１００ポイントである。
【００９５】
その後、ＷＥＢサイトの価値が上がり、１マイル＝２円となった場合、同じ１００円のコンテンツを５０ポイントで買えるようになる。計算の根拠は、１００円（商品価格）／２円（マイル単価）＊（ユーザＡのポイントの連動開始基準レート：１マイル＝１ポイント）＝５０ポイントである。
【００９６】
ところが、１マイル＝２円に上がった状態で新たにＷＥＢサイトに入会して価値連動を開始したユーザＩＤ「２２２」のユーザＢがポイントを使う場合、ユーザＢの連動開始基準レートは１マイル＝２ポイントであるから、同じ１００円のコンテンツを１００ポイントで買うことになる。計算の根拠は、１００円（商品価格）／２円（マイル単価）＊（ユーザＢのポイントの連動開始基準レート：１マイル＝２ポイント）＝１００ポイントである。
【００９７】
ＷＥＢサイトにおいて、１００円と表示された商品にマウスオーバーすればユーザＡには「５０ポイントです」と表示し、ユーザＢには「１００ポイントです」と表示してもよい。
【００９８】
さらに、ユーザがＷＥＢサイトで貢献して新たにマイルを獲得した場合には、マイルを付与したうえでさらにポイントの価値計算が行われる。このように、ポイントの「時価」をそれぞれのユーザに対して個々に計算することになる。その結果、当該ユーザは、実質的にポイントの付与を受けたのと同様の利益を受けることになる。
【００９９】
上記の例では、１マイル＝２円の相場のときにユーザＡが１０マイル相当の貢献をしたときに、ユーザＡには２０円相当のポイントが付与される。計算根拠は、１０マイル（付与マイル数）＊２円（マイル単価）／（ユーザＡのポイントの連動開始基準レート：１マイル＝１ポイント）＝２０円である。
【０１００】
一方、ユーザＢが同じ１０マイル相当の貢献をしたときに、ユーザＢには１０円相当のポイントが付与される。計算根拠は、１０マイル（付与マイル数）＊２円（マイル単価）／（ユーザＢのポイントの連動開始基準レート：１マイル＝２ポイント）＝１０円である。
【０１０１】
さらに、価値連動終了要求は、ＷＥＢサイトそのものを閉鎖等して精算する場合及びユーザ意思に基づく退会の双方のケースを含む。ＷＥＢサイト運営中にユーザに付与したマイルに連動するポイントの精算をする際に、この連動終了基準レートを使用する。
【０１０２】
ＷＥＢサイトの価値がさらに上がり、１マイル＝３円がマイル単価となっている場合、１マイル＝３ポイントが、ポイントの精算に使う連動終了基準レートとなる。１マイル＝１ポイントで連動を開始したユーザＡについては、１ポイントあたり３円をＷＥＢサイト運営側がポイント発行・管理側に払い出して精算することになる。計算根拠は、１ポイント＊（ユーザＡの連動終了基準レート：１マイル＝３ポイント）／（ユーザＡのポイントの連動開始基準レート：１マイル＝１ポイント）＝３円である。
【０１０３】
一方、同時期にユーザＢが連動終了した場合、１ポイントあたり１．５円をＷＥＢサイト運営側がポイント発行・管理側に払い出して精算することになる。計算根拠は、１ポイント＊（ユーザＢの連動終了基準レート：１マイル＝３ポイント）／（ユーザＢのポイントの連動開始基準レート：１マイル＝２ポイント）＝１．５円である。
【０１０４】
逆に、１マイル＝０．５円相当の相場で退会／ＷＥＢサイトを閉鎖した場合は、１マイル＝０．５ポイントが、連動終了基準レートとなる。
【０１０５】
１マイル＝１ポイントで連動を開始したユーザＡについては、１ポイントあたり０．５円をＷＥＢサイト運営側がポイント発行・管理側に払い出して精算することになる。計算根拠は、１ポイント＊（ユーザＡの連動終了基準レート：１マイル＝０．５ポイント）／（ユーザＡのポイントの連動開始基準レート：１マイル＝１ポイント）＝０．５円である。
【０１０６】
一方、同時期にユーザＢが連動終了した場合、１ポイントあたり０．２５円をＷＥＢサイト運営側がポイント発行・運営側に払い出して精算することになる。計算根拠は、１ポイント＊（ユーザＢの連動終了基準レート：１マイル＝０．５ポイント）／（ユーザＢのポイントの連動開始基準レート：１マイル＝２ポイント）＝０．２５円である。
【０１０７】
これにより積極的にポイントを所有しているユーザを当該ＷＥＢサイトに勧誘し、さらに当該ＷＥＢサイトの価値を増大させることができる。またさらに他のサイト等で付与されたいわゆる死蔵されたポイントの積極的な使用を図ることもできる。なお、実際の運用においては、１ポイント＝１円相当で運用しているポイントシステムの場合、当該レートに悪影響がないように、上記の例では１ポイントあたり３円支払うケースにおいては、３ポイントをユーザに付与したり、１ポイントあたり１．５円支払うケースにおいては、１．５ポイントをユーザに付与したり、１ポイントあたり０．２５円支払うケースにおいては、０．２５ポイントをユーザに付与して精算してもよい。
【０１０８】
（４）第２の実施の形態
図１２は、本発明の第２の実施の形態に係るシステム１１を示すブロック図である。このシステム１１は、ユーザの操作に応動して当該ユーザが保有するポイントを、第１の実施の形態について上述したマイルに交換する。このシステム１１は、このユーザが保有するポイントをマイルに交換するための構成が追加されている点を除いて、第１の実施の形態のシステム１と同一に構成される。なおこのポイントは、現金として使用可能又は現金に換金可能な現金相当物である。
【０１０９】
このシステム１１において、管理用サーバ１２は、ユーザが保有するポイントに係るサーバである。この管理用サーバ１２は、当該ユーザが保有するポイントを管理する。
【０１１０】
管理用サーバ１６は、このユーザが保有するポイントの交換に係る処理を実行する点を除いて、第１の実施の形態で上述した管理用サーバ６と同一に構成される。ここで管理用サーバ１６は、ユーザ端末３からのアクセスによりマイルへの交換処理画面をユーザ端末３に表示させる。ユーザ端末３は、ユーザからユーザＩＤ等の入力を受け付けたことにより、管理用サーバ１２にアクセスして当該ユーザが保有するポイント数を取得し、このポイント数を表示する。この状態で、ユーザ端末３がユーザから、そのうちマイルに交換するポイント数の入力を受け付けて交換の要求を管理用サーバ１６に送信すると、管理用サーバ１６は、当該交換を受け付けたポイント数に対応する金額を実現価値の残高に加えると共に、当該交換の要求の直前のマイルの評価額に基づいて算出したマイルの数を分配マイル総数（分配活動単位総数）に追加する。管理用サーバ１６は、この一連の処理に連動して管理用サーバ１２との間で対応する決済の処理を実行することは言うまでもない。ここで、当該交換の際の交換レートは直前のマイルの評価額よりも高くてもよい。これは、交換の際に手数料を徴収するためと、実現価値の残高に比べてマイルの数の増加を抑えてマイルの評価額を上昇させるためである。
【０１１１】
この管理用サーバ１６は、図８との対比により図１３に示すように、さらにこれらポイントの処理に係る活動単位増加交換部としてのマイル増加交換部６Ｐを備えることになる。また図１４に示すように、管理用サーバ１６は、当該マイル増加交換部６Ｐに対応する処理を実行することになる。すなわちこの処理において、管理用サーバ１６は、交換するポイントの入力を受け（ＳＰ２１−ＳＰ２２）、当該ポイントに対応する金額を実現価値の残高に加算する（ＳＰ２３）。また当該交換の要求の直前のマイルの評価額に基づいて算出したマイルの数を分配マイル総数（分配活動単位総数）に加算し（ＳＰ２４）、ポイントに係る管理用サーバ１２との間で決済の処理を実行して元の処理に戻る（ＳＰ２５−ＳＰ２６）。
【０１１２】
この実施の形態では、ユーザの指示により、ユーザの保有するポイントをマイルに換算して更新すると共に、このポイントに対応する金額を増額することにより、他の管理用サーバ１２に管理されているユーザのポイント等を取り込むことができ、いわゆる死蔵したポイント等の有効利用を図れるようにして、一層、ＷＥＢサイトの価値を向上することができる。
【０１１３】
（５）第３の実施の形態
図１５は、本発明の第３の実施の形態に係るシステム２１を示すブロック図である。このシステム２１は、管理用サーバ２６の構成が異なる点を除いて、第１又は第２の実施の形態について上述したシステムと同一に構成される。また管理用サーバ２６は、顧客分析に関する処理を備えている点を除いて、第１又は第２の実施の形態について上述した管理用サーバと同一に構成される。
【０１１４】
すなわち管理用サーバ２６は、ユーザ及び閲覧者を登録した顧客データベースを備え、ユーザ端末３及び閲覧者端末４によるアクセス等によりこの顧客データベースを更新する。なおこの顧客データベースへの登録は、例えばユーザ登録等により実行される。
【０１１５】
管理用サーバ２６において、顧客分析部２６Ａは、この顧客データベースを元に、例えばＣＲＭ（Ｃｕｓｔｏｍｅｒ  Ｒｅｌａｔｉｏｎｓｈｉｐ  Ｍａｎａｇｅｍｅｎｔ）の手法を適用して当該ＷＥＢサイトのユーザ、閲覧者の活動を分析し、分析レポートを作成する。管理用サーバ２６において、実現価値記憶部６Ｉ（図８参照）は、この分析レポートの販売が実施されたことを示す情報を販売価格を示す情報共に受信したことに応じて、当該分析レポートの販売価格の少なくとも一部、例えば所定割合を、実現価値に加えて記憶する。
【０１１６】
これにより図１６に示すように、この実施の形態に係り管理用サーバ２６は、分析レポートの販売により、実現価値の残高に分析レポートの販売に係る実現価値を加算して元の処理手順に戻る（ＳＰ３１−ＳＰ３２−ＳＰ３３）。
【０１１７】
この実施の形態では、顧客の活動履歴を分析した分析レポートの販売により、対応する販売価格の少なくとも一部、例えば所定割合を、を実現価値の総額に加算することにより、ＷＥＢサイトの隠れた財産を、広告による利益と共に適切に配分し、自らが受け取る分配価値を高めるインセンティブを得ることができ、その結果、ＷＥＢサイトの価値を一段と向上することができる。またユーザは、より適切な活動履歴をサーバに提供し、当該ＷＥＢサイトの分配価値総額を高め、以って自らが受け取る分配価値を高めるインセンティブを得ることができる。
【０１１８】
（６）第４の実施の形態
図１７は、本発明の第４の実施の形態に係るシステム３１を示すブロック図である。上述の実施の形態では、このシステム３１は、見かけ上、マイルの存在を表示せず、ポイントのみを使ってＷＥＢサイトの評価額や各ユーザへ付与されたマイルの評価額を表示する。このシステム３１における管理用サーバ３６は、このポイントによる表示処理に係る構成を除いて、第１〜第３の実施の形態について上述したシステムの管理用サーバと同一に構成される。
【０１１９】
図１８は、図１３との対比により管理用サーバ３６の構成を示す機能ブロック図である。管理用サーバ３６は、情報公開部６Ｌに代えて情報公開部６Ｌ−１を備える。情報公開部６Ｌ−１は、ユーザ毎に、各ユーザに付与されたマイルの評価額を表示する際に、ポイント評価額算出部６Ｓから、表示するユーザのユーザＩＤに対応するポイントの評価額を取得し、当該ユーザにとってのマイルの評価額をユーザが所有するポイントの評価額に読み替えて当該ユーザのユーザ端末３に表示する。具体的には、例えば、ユーザ端末３が、ユーザＩＤが「１１１」のユーザＡから、マイルの評価額の表示要求操作を受け付けると、管理用サーバ３６は、当該要求をユーザ端末３から受信して受け付ける。そして、ユーザ端末３は、当該ユーザの連動開始基準レートである「１マイル＝１ポイント」及びその際のマイル評価額「１マイル＝３円」に基づいて、「ただいま１ポイント＝３円です。」と表示する。同じく、連動開始基準レートが「１マイル＝２ポイント」であるユーザＩＤ「２２２」のユーザに対しては、同様に計算して「ただいま１ポイント＝１．５円です。」と表示する。このように、本実施形態においては、マイルの表示は一切行われず、各ユーザが慣れ親しんでいるポイントの評価額を表示するので、各ユーザは、ポイントの評価額の上昇をより親近感を持って感じ取ることができる。もちろん、ユーザ毎、さらにポイント毎に、それぞれの評価額が表示されるため、ユーザは価値連動の開始を要求するだけで手持ちのポイントの価値変動を、マイルを介することなくすぐに実感することができる。
【０１２０】
図１９は、図９との対比により管理用サーバ３６の処理手順を示すフローチャートである。情報公開処理ＳＰ１１に代わり、情報公開処理ＳＰ１１−１が行われる。具体的な処理は、上述のように、情報公開部６Ｌ−１が、ユーザ毎、ポイント種類毎にそれぞれ計算したポイントの評価額をユーザ端末３に表示させるためにデータを送信する。
【０１２１】
（７）第５の実施の形態
図２０は、本発明の第５の実施の形態に係るシステム４１を示すブロック図である。このシステム４１は、管理用サーバ４６が、現金相当物記憶部としてのポイント残高ログ６Ｗを備え、さらにポイントを管理する管理用サーバ１２がポイント残高更新通知部１２Ａを備えている点を除いて、第１〜第４の実施の形態について上述したシステムの管理用サーバと同一に構成される。ポイント残高ログ６Ｗは、ユーザ毎、ポイント毎に、各ユーザの所有するポイントの残高を記憶している。さらにポイントを管理する管理用サーバ１２が備えるポイント残高更新通知部１２Ａからユーザのポイントの残高が更新された旨の通知を受け付けたことに応じて、後述するポイント残高更新部６ＷＡがこのポイント残高ログ６Ｗに最新のポイント残高を記憶する。
【０１２２】
図２１は、図１３との対比により管理用サーバ４６の構成を示す機能ブロック図である。管理用サーバ４６は、現金相当物残高更新部としてのポイント残高更新部６ＷＡをさらに備える。また、管理用サーバ４６は、ポイント評価額算出部６Ｓに代えて、ポイント評価額算出部６ＳＡを備える。
【０１２３】
ここでポイント残高ログ６Ｗは、ユーザが所有するポイントの残高を記憶する。ポイント残高更新部６ＷＡは、管理用サーバ１２のポイント残高更新通知部１２Ａから、ユーザの所有するポイントの残高の変化に関する情報を受け付けたことに応じて、ポイント残高ログ６Ｗに記憶した、ユーザの所有するポイントの残高を更新する。
【０１２４】
ポイント評価額算出部６ＳＡは、ポイント残高更新部６ＷＡが更新した、ポイントを所有するユーザ及び当該ポイントについて、連動開始基準レート記憶部６Ｒが当該ユーザの連動開始基準レートを記憶している場合に、ポイント残高更新部６ＷＡが更新した残高に基づいて、ポイントの評価額を算出する。
【０１２５】
図２２は、これらの処理に関する管理用サーバ４６の処理手順を示すフローチャートである。管理用サーバ４６は、ユーザによるポイントの使用やポイントの取得等によりユーザの所有するポイントの残高を更新し、さらにポイントの評価額を計算する。このポイントの評価額の計算では、連動開始基準レート記憶部６Ｒが当該ユーザの連動開始基準レートを記憶している場合に、ポイント残高更新部６ＷＡが更新した残高に基づいて、ポイントの評価額を算出する（ＳＰ５１−ＳＰ５３）。
【０１２６】
より具体的には、例えば、あるユーザがあるポイントについて価値連動要求を行った後、買い物等を行って新たに１０００ポイントの付与を受けた場合、管理用サーバ４６は、付与を受けた当該１０００ポイントについて、当該ＷＥＢサイトにおけるマイルの価値連動に応じて評価額を計算する。したがって、価値連動要求を行った際にマイル単価が１マイル＝１円、連動開始基準レートが１マイル＝１ポイントで、１０００ポイントの付与を受けた際にマイル単価が１マイル＝３円となっていた場合、当該ユーザは１０００ポイントを３０００円の価値として実感することになる。このように、本実施形態に係る管理用サーバ４６は、ユーザが一旦価値連動を開始したポイントについて、後からポイントが増えた場合においても、その都度当該増えたポイントの評価額をマイルの評価額に連動させることができる。
【０１２７】
（８）第６の実施の形態
ところでこの種の広告方法では、広告主の指示により、広告を設置したＷＥＢサイトやブログの執筆者のみならず、当該広告主に関係するユーザが広告を閲覧し、あるいは広告をクリックした場合に、当該ユーザに対しても広告料が支払われることがある。しかしながら、このような行為は、当該ユーザのみを利することになり適当ではない。そこで、本実施の形態においては、そのような行為のインセンティブをキャンセルするための構成を備える。
【０１２８】
すなわち、本実施の形態では、広告料をＷＥＢサイトの全ユーザで配分することにより、この種の不正行為による広告料の突出した収益も希釈化することができる。そこでこの実施の形態では、ブロガーに配分する広告料についても、マイルを介してポイントにより付与する。
【０１２９】
すなわち図２３は、図１との対比により本発明の第６の実施の形態に係るシステム５１を示すブロック図である。このシステム５１では、管理用サーバ６に代えて、管理用サーバ５６が設けられる。
【０１３０】
また図２４は、図８との対比により管理用サーバ５６の構成を示す機能ブロック図である。管理用サーバ５６においては、広告料算出部６Ｘが設けられ、広告の実施によりブロガーに付与する広告料が計算される。なおこの実施の形態では、広告料の計算に供するように、広告料テーブル６Ａが設定される。
【０１３１】
マイル換算部６Ｙは、この広告料算出部６Ｘで算出した広告料をマイルに換算する。なおこのマイルへの換算は、ブロガーへの広告料の支払い決済時にまとめて実行してもよく、広告が実行される毎に実行してもよい。
【０１３２】
この実施の形態では、ブロガー等に配分する広告料をマイルにより実行することにより、ブロガー等の不正行為を低減することができる。
【０１３３】
（９）第７の実施の形態
図２５は、本発明の第７の実施の形態に係るシステム６１を示すブロック図である。このシステム６１では、管理用サーバ６６が設けられる。図２６は、管理用サーバ６６を示す機能ブロック図である。管理用サーバ６６は、上述した各実施の形態の構成に加えて、広告協力料金算出部６Ｚをさらに備え、さらにポイント評価額算出部６Ｓに代えて、ポイント評価額算出部６ＳＡを備える。さらに、管理用サーバ６６は、広告料テーブル６Ａに代わり、広告料テーブル６ＡＡを備える。
【０１３４】
ここで管理用サーバ６６は、公知のトラッキング手法により、ＷＥＢページで提供される広告について、広告を閲覧、クリックしたユーザを把握する構成が設けられる。広告協力料金算出部６Ｚは、このトラッキングの構成により把握される広告を閲覧、クリックしたユーザに対して、広告料テーブル６ＡＡに基づいて、広告の実施による広告料をポイントにより支払うべく計算する。
【０１３５】
ポイント評価額算出部６ＳＡは、これを受けて、上述の各実施の形態に係る対応する構成と同様に一連の処理を実行する。さらにこの実施の形態に、ポイント評価額算出部６ＳＡは、連動開始基準レート記憶部６Ｒのアクセスにより、広告協力料金算出部６Ｚが算出した、ポイントを付与するユーザ及び当該ポイントについて、連動開始基準レート記憶部６Ｒが連動開始基準レートを記憶している場合、広告協力料金算出部６Ｚが算出したポイントの評価額を、当該ユーザの保持するポイントの評価額から控除する。これによりこの実施の形態では、当該ユーザが広告の閲覧やクリックにより得た価値と同額が控除されることになり、このような行為のインセンティブをキャンセルすることができる。
【０１３６】
具体的に、例えば、あるユーザが、広告料テーブル６ＡＡに基づき、広告閲覧で１０ポイントを獲得した場合、当該ユーザの連動開始基準レートが１マイル＝１ポイントであり、広告協力時のマイル単価が１マイル＝２円であった場合、ユーザは、１０ポイント＝２０円の価値を得ることになる。
【０１３７】
しかしながらこの実施の形態によれば、ポイント評価額算出部６ＳＡは、この１０ポイント＝２０円を当該ユーザのポイントから控除する。すなわち、上記のケースでは１０ポイント＝２０円相当分が控除されるので、広告協力で得た付加価値はポイントの評価額計算においてちょうどキャンセルすることになる。
【０１３８】
したがって、当該ユーザにとって、無駄に広告を閲覧したりクリックしたりする行為に対するインセンティブはゼロとなり、ＷＥＢサイトへの貢献を通じて自らの所有するポイントの評価額を上げようとするインセンティブを得ることができる。
【０１３９】
（１０）第８の実施の形態
図２７は、本発明の第８の実施の形態に係るシステム７１を示す図である。このシステム７１では、複数の管理用サーバ１２でそれぞれ管理される複数のポイントについて、管理用サーバ７６により価値連動開始要求を受け付ける。また管理用サーバ７６では、複数のＷＥＢサイトをそれぞれ管理し、ＷＥＢサイト毎にマイルの評価額を計算する。なおこの場合、この複数のＷＥＢサイトの全部又は一部でまとめてマイルの評価を計算してもよい。この実施の形態では、これらポイント、マイルの処理が複数に係る点を除いて、上述の実施の形態と同一に構成される。
【０１４０】
このためこの実施の形態において、管理用サーバ７６において、連動開始基準レート記憶部６Ｒは、ポイントの種類毎に、連動開始基準レートを設定して記憶し、ポイント評価額算出部６Ｓは、ポイントの種類毎に、対応するポイントの評価額を算出する。
【０１４１】
この実施の形態によれば、複数のポイントについて価値連動要求を処理するようにしても、さらには複数のＷＥＢサイトについてマイルを管理するようにしても、上述の実施の形態と同一の効果を得ることができる。
【０１４２】
（１１）他の実施の形態
なお上述の実施の形態では、本発明の実施に好適な具体的な構成を詳述したが、本発明にあっては、本発明の趣旨を逸脱しない範囲で、上述の実施の形態の構成を種々に変更等することができる。
【０１４３】
すなわち上述の実施の形態では、広告主サーバからの販売の確定による通知を受けて広告料等を計算することにより、商品の販売に関しては実際の広告料の収入に対応して計算する場合ついて述べたが、本発明はこれに限らず、商品の購入の通知により確定した広告料を推定して実現価値を計算してもよい。
【０１４４】
また上述の実施の形態では、ブログに係るＷＥＢサイトに本発明を適用して、ブログの執筆、更新、メールマガジンの発行、申し込みに対してマイルを付与する場合について述べたが、本発明はこれに限らず、メールマガジンの受信、ユーザ登録等によってもマイルを付与してもよい。
【０１４５】
また上述の実施の形態では、他のサイトで付与される固定の経済価値を有するポイントを前提に、このポイントとの関連によりマイルの評価額を処理する場合について述べたが、本発明はこれに限らず、上述の実施の形態に係るＷＥＢサイトと同様の、他のサイトで提供されるマイルとの間で、同様の処理を実行する場合にも広く適用することができる。
【０１４６】
また上述の実施の形態では、ブログに係るＷＥＢサイトに本発明を適用する場合について述べたが、本発明はこれに限らず、各種のコミュニティによるサイト、メーリングリスト等を利用するサイト、ニュース、天気予報、音楽等の各種コンテンツを提供するサイト、プログラム等の各種ツールを提供するサイト等に広く適用することができ、またこれら各種のサイトにおける各種のユーザの活動に広く適用することができる。
【符号の説明】
【０１４７】
１、１１、２１  システム
２  ＷＥＢサーバ
３  ユーザ端末
４  閲覧者端末
５  広告主サーバ
６、１２、１６、２６  管理用サーバ
８  広告主端末
【図１】
2011170394.tif 000003
【図２】
2011170394.tif 000004
【図３】
2011170394.tif 000005
【図４】
2011170394.tif 000006
【図５】
2011170394.tif 000007
【図６】
2011170394.tif 000008
【図７】
2011170394.tif 000009
【図８】
2011170394.tif 000010
【図９】
2011170394.tif 000011
【図１０】
2011170394.tif 000012
【図１１】
2011170394.tif 000013
【図１２】
2011170394.tif 000014
【図１３】
2011170394.tif 000015
【図１４】
2011170394.tif 000016
【図１５】
2011170394.tif 000017
【図１６】
2011170394.tif 000018
【図１７】
2011170394.tif 000019
【図１８】
2011170394.tif 000020
【図１９】
2011170394.tif 000021
【図２０】
2011170394.tif 000022
【図２１】
2011170394.tif 000023
【図２２】
2011170394.tif 000024
【図２３】
2011170394.tif 000025
【図２４】
2011170394.tif 000026
【図２５】
2011170394.tif 000027
【図２６】
2011170394.tif 000028
【図２７】
2011170394.tif 000029